(57)【要約】【課題】電子化されたコンテンツを購入する際の利便性の向上を図る。【解決手段】実施形態のコンテンツ処理装置は、受付部と、出力部と、を備える。受付部は、ユーザから、同一のコンテンツについて複数回の購入の受け付け可能とする。出力部は、ユーザが購入したコンテンツ毎に項目が示されている画面情報であって、複数回購入された同一のコンテンツが一項目として記載されているコンテンツ一覧画面情報を出力する。【選択図】図３
2015018449.tif 000002
【特許請求の範囲】
【請求項１】
ユーザから、同一のコンテンツについて複数回の購入を受け付け可能な受付部と、
前記ユーザが購入したコンテンツ毎に項目が示されている画面情報であって、複数回購入された前記同一のコンテンツが一項目として記載されているコンテンツ一覧画面情報を出力する出力部と、
を備えるコンテンツ処理装置。
【請求項２】
前記受付部は、前記ユーザから、コンテンツを購入したことを表す識別情報であり、且つ前記同一のコンテンツと対応付けられている前記識別情報を複数受け付け可能である、
請求項１に記載のコンテンツ処理装置。
【請求項３】
前記受付部が受け付けた前記識別情報毎に、当該コンテンツと関係の無い付加情報を対応付けて記憶する記憶部をさらに備え、
前記出力部は、前記同一のコンテンツを購入したことを表す複数の前記識別情報と前記記憶部で対応付けられている、複数の付加情報が表された画面情報を出力する、
請求項２に記載のコンテンツ処理装置。
【請求項４】
前記出力部が出力する前記付加情報がくじの結果である、
請求項３に記載のコンテンツ処理装置。
【請求項５】
前記受付部が前記識別情報を受け付けた場合に、当該識別情報で示されるコンテンツが購入されたものであるか否かを外部装置に問い合わせを行う通信部をさらに備え、
前記通信部は、さらに、前記識別情報で示されるコンテンツが購入された旨を受信した場合、前記ユーザに当該コンテンツのダウンロードを許可する指示を、前記コンテンツのダウンロード可能な配信サーバに送信する、
請求項１に記載のコンテンツ処理装置。
【請求項６】
コンテンツ処理装置で実行されるコンテンツ処理方法であって、
ユーザから、同一のコンテンツについて複数回の購入受け付ける受付ステップと、
前記ユーザが購入したコンテンツ毎に項目が示されている画面情報であって、複数回購入された前記同一のコンテンツが一項目として記載されているコンテンツ一覧画面情報を出力する出力ステップと、
を含むコンテンツ処理方法。
【請求項７】
前記受付ステップは、前記ユーザから、コンテンツを購入したことを表す識別情報であり、且つ前記同一のコンテンツと対応付けられている前記識別情報を複数受け付ける、
請求項６に記載のコンテンツ処理方法。
【請求項８】
前記受付ステップが受け付けた前記識別情報毎に、当該コンテンツと関係の無い付加情報を対応付けて記憶部に記憶する記憶ステップをさらに備え、
前記出力ステップは、前記同一のコンテンツを購入したことを表す複数の前記識別情報と前記記憶部で対応付けられている、複数の付加情報が表された画面情報を出力する、
請求項７に記載のコンテンツ処理方法。
【請求項９】
前記出力ステップが出力する前記付加情報がくじの結果である、
請求項８に記載のコンテンツ処理方法。
【請求項１０】
前記受付ステップが前記識別情報を受け付けた場合に、当該識別情報で示されるコンテンツが購入されたものであるか否かを外部装置に問い合わせを行う問合せステップと、
前記識別情報で示されるコンテンツが購入された旨を受信した場合、前記ユーザに当該コンテンツのダウンロードを許可する指示を、前記コンテンツのダウンロード可能な配信サーバに送信する送信ステップと、
を含む請求項６に記載のコンテンツ処理方法。
【発明の詳細な説明】
【技術分野】
【０００１】
本発明の実施形態は、コンテンツ処理装置、及びコンテンツ処理方法に関する。
【背景技術】
【０００２】
近年、電子化されたコンテンツをインターネット上で購入、閲覧できるＷｅｂストアが一般化されてきている。電子化されたコンテンツの流通においては、実体を伴わずに、インターネット等の公衆ネットワークを介した送受信が行われる。
【先行技術文献】
【特許文献】
【０００３】
【特許文献１】特開２０１１−１６５０３０号公報
【発明の概要】
【発明が解決しようとする課題】
【０００４】
しかしながら、従来技術のネットワーク上でのコンテンツの購入においては、流通の態様が実体を伴ったものではないため、実体を伴った流通で行われていた同一のコンテンツの複数購入について考慮されていなかった。
【０００５】
本発明は、上記に鑑みてなされたものであって、コンテンツの複数購入を考慮したコンテンツ処理装置、及びコンテンツ処理方法を提供することを目的とする。
【課題を解決するための手段】
【０００６】
実施形態のコンテンツ処理装置は、受付部と、出力部と、を備える。受付部は、ユーザから、同一のコンテンツについて複数回の購入受け付け可能とする。出力部は、ユーザが購入したコンテンツ毎に項目が示されている画面情報であって、複数回購入された同一のコンテンツが一項目として記載されているコンテンツ一覧画面情報を出力する。
【図面の簡単な説明】
【０００７】
【図１】図１は、実施形態にかかるコンテンツ購入システムを例示した図である。
【図２】図２は、実施形態にかかるプリペイドカードの例を示した図である。
【図３】図３は、実施形態にかかる携帯情報端末と、Ｗｅｂストアサーバと、コンテンツ配信サーバとのブロック構造を例示した図である。
【図４】図４は、実施形態にかかるプリペイド管理サーバのカード管理部のテーブル構造例を示した図である。
【図５】図５は、実施形態にかかるＷｅｂストアサーバのコンテンツ対応関係管理部のテーブル構造例を示した図である。
【図６】図６は、実施形態にかかるＷｅｂストアサーバの購入管理テーブルのテーブル構造例を示した図である。
【図７】図７は、実施形態にかかるコンテンツ配信サーバの購入済コンテンツ管理テーブルのテーブル構造例を示した図である。
【図８】図８は、実施形態にかかるＷｅｂストアの画面遷移を例示した図である。
【図９】図９は、実施形態にかかるＷｅｂストアサーバから送信されるログイン画面を例示した図である。
【図１０】図１０は、実施形態にかかる携帯情報端末で表示されるマイページ画面を例示した図である。
【図１１】図１１は、実施形態にかかる携帯情報端末で表示されるＰＩＮコード入力画面を例示した図である。
【図１２】図１２は、実施形態にかかる携帯情報端末で表示されるＰＩＮコードの登録完了＋“くじ”の結果表示画面を例示した図である。
【図１３】図１３は、実施形態にかかる携帯情報端末で表示される購入コンテンツ一覧画面を例示した図である。
【図１４】図１４は、実施形態にかかる携帯情報端末で表示されるコンテンツの“くじ”の結果一覧表示画面を例示した図である。
【図１５】図１５は、実施形態にかかるコンテンツ購入システムにおける、コンテンツが購入された際の処理手順の手順を示すフローチャートである。
【図１６】図１６は、実施形態にかかるコンテンツ購入システムにおける、同一コンテンツのプリペイドカードを複数枚購入した際の処理の手順を示すフローチャートである。
【発明を実施するための形態】
【０００８】
図１は、本実施形態にかかるコンテンツ購入システムを例示した図である。図１に示されるように、コンテンツ購入システムにおいては、コンテンツ配信サーバ１０１と、ＰＯＳレジ１０２と、プリペイド管理サーバ１０３と、Ｗｅｂストアサーバ１０４と、を専用ネットワーク１７０を介して接続されている。なお、専用ネットワーク１７０は、公衆ネットワークでＶＰＮ（Virtual  Private  Network）等を用いて構築しても良い。
【０００９】
そして、ユーザは、ＰＯＳレジ１０２から、プリペイドカードを購入する。電子書籍サービス等では、主にＷｅｂストア上で電子書籍（コンテンツ）を検索した人が、当該電子書籍を購入していた。しかしながら、Ｗｅｂストアでは、電子書籍を検索する手間がかかるという問題があった。
【００１０】
ＰＯＳレジ１０２は、ＰＯＳシステム（販売時点情報管理システム）のために用いられているレジスターであり、コンビニエンスストアやスーパー等に設置されている。本実施形態にかかるＰＯＳレジ１０２は、コンビニエンスストアやスーパー等に商品として設置されているプリペイドカードを購入する際に使用される。つまり、本実施形態では、ウェブストアで電子書籍を検索する以外の手法として、店頭でプリペイドカードの購入という手法を提案する。
【００１１】
図２は、本実施形態にかかるプリペイドカードの例を示した図である。図２に示されるプリペイドカードの例では、“コンテンツＡ”３０２とコンテンツの名称が記載されている。これにより、当該プリペイドカードを購入することで、コンテンツＡを得られることが認識できる。さらにプリペイドカードでは、当該プリペイドカードを識別するためのカード番号（ＩＤ）３０１が示されている。ＩＤ３０１はプリペイドカード毎に、ユニークに割り当てられている。また、プリペイドカードでは、領域３０３がスクラッチ印刷されている。ユーザが当該領域３０３をコイン等でこするとＰＩＮコードを視認できる。ＰＩＮコードは、Ｗｅｂストアで“コンテンツＡ”をダウンロードする際に用いる。
【００１２】
そして、ＰＯＳレジ１０２は、プリペイドカードが購入された場合に、当該プリペイドカードのカード番号（ＩＤ）をプリペイド管理サーバ１０３に送信する。
【００１３】
プリペイド管理サーバ１０３は、プリペイドカード毎の情報を管理している。本実施形態にかかるプリペイド管理サーバ１０３は、プリペイドカードが購入されたか否かの情報（アクティベート）を管理している。例えば、プリペイド管理サーバ１０３は、ＰＯＳレジ１０２からプリペイドカードのＩＤを受信した場合に、当該ＩＤで識別されるプリペイドカードが認識されたものとして処理を行う。
【００１４】
Ｗｅｂストアサーバ１０４は、電子書籍や動画などの電子コンテンツを販売するサービスを行うサーバとする。本実施形態にかかるＷｅｂストアサーバ１０４は、電子書籍や動画などの（電子）コンテンツの検索、販売を実現する他、プリペイドカードに表されたＰＩＮコードの入力を受け付けることで、当該（電子）コンテンツの販売が行われたものとして処理を行う。
【００１５】
コンテンツ配信サーバ１０１は、Ｗｅｂストアサーバ１０４で購入された電子書籍や動画などのコンテンツを配信するサーバとする。
【００１６】
次に各装置の具体的な構成について説明する。図３は、本実施形態にかかる携帯情報端末１５０と、Ｗｅｂストアサーバ１０４と、コンテンツ配信サーバ１０１とのブロック構造を例示した図である。
【００１７】
プリペイド管理サーバ１０３は、カード管理部２８０を備え、プリペイドカードに関する情報を管理している。
【００１８】
図４は、カード管理部２８０のテーブル構造例を示した図である。図４に示されるように、カード管理部２８０は、カード番号（ＩＤ）と、アクティベートの有無と、を対応付けて記憶している。アクティベートには、“有り”又は“無し”が登録されている。初期値としては“無し”が登録されている。そして、プリペイド管理サーバ１０３は、ＰＯＳレジ１０２から、カード番号（ＩＤ）を受信した場合に、当該カード番号（ＩＤ）と対応付けられたアクティベートを“有り”に更新する。そして、本実施形態では、アクティベート“有り”の当該カード番号（ＩＤ）のプリペイドカードは、適切に購入されたものとして扱う。
【００１９】
携帯情報端末１５０は、通信制御部２５１と、Ｗｅｂブラウザ２５２と、コンテンツ統合アプリケーション２５３と、を備えている。
【００２０】
通信制御部２５１は、家庭内に設置された無線ルータ１５１を介して、公衆ネットワーク１６０と接続する。本実施形態の通信制御部２５１は、公衆ネットワーク１６０上に設置されたコンテンツ配信サーバ１０１、及びＷｅｂストアサーバ１０４との間で情報を送受信する。
【００２１】
Ｗｅｂブラウザ２５２は、Ｗｅｂストア連携コンポーネント２６１を備え、他のＷｅｂサーバから配信される画面情報を表示する。
【００２２】
Ｗｅｂストア連携コンポーネント２６１は、Ｗｅｂストアサーバ１０４でコンテンツを購入する際に、Ｗｅｂストアサーバ１０４と連携するためのコンポーネントとする。当該Ｗｅｂストア連携コンポーネント２６１を呼び出すことで、Ｗｅｂストアサーバ１０４から、コンテンツの検索、購入等を行うことが可能となる。
【００２３】
コンテンツ統合アプリケーション２５３は、コンテンツ一覧ビューア２６２と、コンテンツ表示コンポーネント２６３と、を備え、コンテンツ配信サーバ１０１と通信を行い、購入済みのコンテンツを利用する。
【００２４】
コンテンツ一覧ビューア２６２は、通信制御部２５１を介して、コンテンツ配信サーバ１０１と通信を行うことで、ユーザが購入したコンテンツの一覧情報を表示する。
【００２５】
コンテンツ表示コンポーネント２６３は、通信制御部２５１を介して、コンテンツ配信サーバ１０１と通信を行うことで、ユーザが購入したコンテンツを表示する。その際に、コンテンツ表示コンポーネント２６３は、コンテンツ配信サーバ１０１からコンテンツのダウンロードを行っても良い。
【００２６】
Ｗｅｂストアサーバ１０４は、図示しない記憶部に、Ｗｅｂストア画面記憶部２０１と、コンテンツ対応関係管理部２０２と、購入管理テーブル２０３と、会員情報管理部２０４と、を備えている。さらに、Ｗｅｂストアサーバ１０４は、図示しない制御プログラムを実行することで、受付部２０５と、通信部２０６と、画面生成部２０７と、画面出力部２０８と、購入登録部２０９と、を実現する。
【００２７】
Ｗｅｂストア画面記憶部２０１は、携帯情報端末１５０等の装置に送信するＷｅｂストアの画面情報を生成するためのテンプレートを記憶している。
【００２８】
コンテンツ対応関係管理部２０２は、販売しているコンテンツ毎の情報を記憶している。図５は、コンテンツ対応関係管理部２０２のテーブル構造例を示した図である。図５に示されるように、コンテンツ対応関係管理部２０２は、コンテンツと、カード番号（ＩＤ）と、ＰＩＮコードと、“くじ”と、を対応付けて記憶している。
【００２９】
コンテンツは、当該プリペイドカードを購入した際に得られるコンテンツの名称やコンテンツを識別するための識別情報とする。カード番号は、プリペイドカードを識別するカード番号とする。ＰＩＮコードは、当該プリペイドカードのスクラッチ印刷された部分をこすることで表示されるコードとする。“くじ”は、プリペイドカードを購入した際に得られる付与情報の一種とする。本実施形態の“くじ”は、“あたり”と“はずれ”がある。“あたり”の場合、プリペイドカードの購入者に何らかの利益があっても良い。当該利益としては、Ｗｅｂストアのポイントや、他のコンテンツの取得や購入する際の割引などが考えられる。
【００３０】
本実施形態は、コンテンツ毎に付加情報として“くじ”が対応付けられている例とする。現在、商品を購入する際に、“くじ”や“おまけ”が欲しいために同一商品を複数購入している状況がある。これに対して公衆ネットワークで販売されている（電子）コンテンツでは、同一コンテンツを複数購入する必要は無いと考えられている。しかしながら、実際の商品購入時を考慮すると“くじ”や“おまけ”の欲しさに同一の（電子）コンテンツであっても、複数購入される状況が生じると考えられている。そこで、本実施形態では同一コンテンツの複数購入を可能とした上で、コンテンツ毎に“くじ”が対応付けられている例について説明する。
【００３１】
本実施形態では、コンテンツに対応付けられている付加情報が“くじ”の場合について説明するが、付加情報を“くじ”に制限するものではなく、おまけ（なんらかの商品やデータ）を得るためのシリアルコード等であっても良い。
【００３２】
図３に戻り、会員情報管理部２０４は、Ｗｅｂストアに対して会員登録したユーザの情報を管理する。本実施形態にかかる会員情報管理部２０４は、会員識別情報、ユーザの名前、住所、ユーザが所持している情報処理装置を識別する情報、及びユーザのクレジットカードの番号等を管理する。
【００３３】
購入管理テーブル２０３は、ユーザが購入したコンテンツを管理する。図６は、購入管理テーブル２０３のテーブル構造例を示した図である。図６の例で示されるように、購入管理テーブル２０３は、会員識別情報と、コンテンツと、カード番号と、“くじ”の結果と、を対応付けて記憶する。
【００３４】
通信部２０６は、公衆ネットワーク１６０、及び専用ネットワーク１７０を介して接続された各装置との間で情報を送受信する。
【００３５】
受付部２０５は、通信部２０６を介して、携帯情報端末１５０等の装置から、コンテンツの購入等の要求を受け付ける。本実施形態にかかる受付部２０５は、同一のコンテンツについて複数回の購入を受け付け可能とする。本実施形態ではコンテンツの購入は、ＰＩＮコードの入力で行われる。つまり、本実施形態にかかる受付部２０５は、ユーザが操作する携帯情報端末１５０から、同一のコンテンツと対応付けられているＰＩＮコードを複数受け付け可能とする。
【００３６】
そして、Ｗｅｂストアサーバ１０４の受付部２０５が、ＰＩＮコードの入力を受け付けた場合に、購入登録部２０９が、当該ＰＩＮコードと対応付けられたコンテンツが購入されたものとして、購入管理テーブル２０３を更新する。本実施形態にかかる購入登録部２０９は、会員識別情報と、購入されたコンテンツの情報（コンテンツの名称、カード番号）とを対応付けて、購入管理テーブル２０３に登録、更新する。さらに、購入登録部２０９は、受付部２０５が受け付けたＰＩＮコード毎に、購入したコンテンツと関係の無い“くじ”の結果も、購入管理テーブル２０３に購入されたコンテンツの情報と対応付けて登録する。
【００３７】
そして、通信部２０６は、受付部２０５がＰＩＮコードを受け付けた場合に、当該ＰＩＮコードで示されるコンテンツが購入されたものであるか否かを、プリペイド管理サーバ１０３に問い合わせを行う。本実施形態にかかる通信部２０６は、ＰＩＮコードを受け付けた際に、当該ＰＩＮコードとコンテンツ対応関係管理部２０２で対応付けられているカード番号（ＩＤ）を読み出して、当該カード番号（ＩＤ）を用いてアクティベートがなされているか否かを、プリペイド管理サーバ１０３に問い合わせる。これにより、コンテンツが適切に購入されたものであるか否かを確認できる。
【００３８】
通信部２０６は、プリペイド管理サーバ１０３から、カード番号（ＩＤ）で示されるコンテンツが購入された旨を受信した場合、ユーザに、カード番号（ＩＤ）及びＰＩＮコードと対応付けられているコンテンツのダウンロードを許可する指示を、コンテンツ配信サーバ１０１に送信する。これにより、ユーザは、当該コンテンツのダウンロードが可能となる。
【００３９】
通信部２０６が備えるストアＡＰＩ２１０は、コンテンツ配信サーバ１０１等からの要求を受け付けるＡＰＩとする。そして、受け付けた要求に従って処理を行う。
【００４０】
画面生成部２０７は、携帯情報端末１５０等の装置からの要求に応じて、Ｗｅｂストア画面記憶部２０１に記憶されている画面テンプレートを参照して、要求に応じた画面データを生成する。
【００４１】
画面出力部２０８は、画面生成部２０７により生成された画面データを、要求元の装置（例えば携帯情報端末１５０）に対して、通信部２０６を介して送信する。これにより、Ｗｅｂストアサーバ１０４から出力される画面を参照しながら、コンテンツの購入等を行うことができる。次に、購入されたコンテンツを配信するコンテンツ配信サーバ１０１について説明する。
【００４２】
コンテンツ配信サーバ１０１は、図示しない記憶部に、購入済コンテンツ管理テーブル２２１と、アカウント記憶部２２２と、コンテンツ記憶部２２３と、を備えている。さらに、コンテンツ配信サーバ１０１は、図示しない制御プログラムを実行することで、一覧出力部２２４と、コンテンツ出力部２２５と、通信部２２６と、を実現する。
【００４３】
購入済コンテンツ管理テーブル２２１は、ユーザを識別する情報（会員識別情報）と、当該ユーザが購入したコンテンツと、を対応付けて記憶している。図７は、購入済コンテンツ管理テーブル２２１のテーブル構造例を示した図である。図７の例で示されるように、購入済コンテンツ管理テーブル２２１は、会員識別情報と、コンテンツと、を対応付けて記憶する。
【００４４】
アカウント記憶部２２２は、コンテンツをダウンロードするユーザのアカウントに関する情報を保持する。本実施形態においては、ユーザを識別する会員識別情報の他に、当該ユーザが保持している携帯情報端末を識別する情報等を保持している。
【００４５】
コンテンツ記憶部２２３は、ユーザに対してダウンロードさせるためのコンテンツを記憶する。
【００４６】
通信部２２６は、公衆ネットワーク１６０、及び専用ネットワーク１７０を介して接続された各装置との間で情報を送受信する。
【００４７】
通信部２２６が備えるストアＡＰＩ２２８は、コンテンツ配信サーバ等からの要求を受け付けるＡＰＩとする。そして、受け付けた要求に従って処理を行う。ストアＡＰＩ２２８は、例えば、コンテンツ記憶部２２３に対する更新を受け付ける。
【００４８】
一覧出力部２２４は、購入済コンテンツ管理テーブル２２１を参照して生成した、ユーザが購入したコンテンツの一覧画面を、携帯情報端末１５０等の他の装置に対して送信する。
【００４９】
コンテンツ出力部２２５は、購入済コンテンツ管理テーブル２２１を参照して、ユーザが購入済みのコンテンツを、コンテンツ記憶部２２３から読み出して、当該コンテンツを、携帯情報端末１５０等の他の装置に対して送信する。
【００５０】
図８は、本実施形態にかかるＷｅｂストアの画面遷移を例示した図である。図８に示されるように、本実施形態にかかるＷｅｂストアサーバ１０４は、携帯情報端末１５０で行われた操作に応じて、図８に示される各画面データを送信する。なお、携帯情報端末１５０のＷｅｂブラウザ２５２はあらかじめ起動しているものとする。
【００５１】
そして、携帯情報端末１５０のＷｅｂブラウザ２５２が、Ｗｅｂストアサーバ１０４にアクセスすることで、Ｗｅｂストアサーバ１０４は、Ｗｅｂストアトップ画面データを、携帯情報端末１５０に送信する。これにより、携帯情報端末１５０の表示部には、Ｗｅｂストアトップ画面８０１が表示される。
【００５２】
その後、携帯情報端末１５０は、ユーザで行われた操作に応じて、Ｗｅｂストアサーバ１０４と通信することで、ログイン画面８０２又は会員登録画面８０３を表示する。
【００５３】
会員登録が行われていない場合、携帯情報端末１５０では、会員登録画面８０３に対して、会員登録に必要な情報を入力する。そして、会員登録画面８０３の登録ボタンの押下を受け付けた場合に、携帯情報端末１５０とＷｅｂストアサーバ１０４との間に通信が行われ、会員情報の仮登録が行われる。これにより、携帯情報端末１５０は、Ｗｅｂストアサーバ１０４から受信した会員仮登録完了画面８０４を表示する。その後、携帯情報端末１５０では、メールで別送された情報を、Ｗｅｂストアサーバ１０４に送信する。これにより本人確認が行われたことになる。そして、携帯情報端末１５０は、Ｗｅｂストアサーバ１０４から会員登録完了画面８０５を受信し、表示部に表示する。
【００５４】
会員登録が完了している場合、ログイン画面８０２から、Ｗｅｂストアサーバ１０４が提供しているＷｅｂストアにログインできる。
【００５５】
図９は、Ｗｅｂストアサーバ１０４から送信されるログイン画面を例示した図である。図９に示されるように、メールアドレスと、パスワードと、を入力して、ログインボタンの押下を受け付けることで、Ｗｅｂストアに対するログインが行われる。
【００５６】
そして、携帯情報端末１５０からログインが行われた場合に、Ｗｅｂストアサーバ１０４は、マイページ画面８１１を携帯情報端末１５０に送信する。これにより携帯情報端末１５０は、マイページ画面を受信する。そして、ログインした後は、携帯情報端末１５０のＷｅｂブラウザ２５２のＷｅｂストア連携コンポーネント２６１を連動することで、プリペイドカードを用いたコンテンツの取得を実現できる。
【００５７】
図１０は、本実施形態にかかる携帯情報端末１５０で表示されるマイページ画面を例示した図である。図１０に示されるように、“会員情報の確認・変更”と、プリペイドカードに関する“購入履歴”１００２、“プリペイドカードを使う”１００１と、が示されている。
【００５８】
そして、携帯情報端末１５０が、マイページ画面８１１で“プリペイドカードを使う”１００１の選択を受け付けた場合に、Ｗｅｂストアサーバ１０４との間で画面遷移に必要な情報の送受信を行うことで、携帯情報端末１５０は、ＰＩＮコード入力画面８１２を受信する。
【００５９】
図１１は、本実施形態にかかる携帯情報端末１５０で表示されるＰＩＮコード入力画面８１２を例示した図である。図１１に示されるように、ＰＩＮコードの入力欄１１０１が示される。
【００６０】
そして、携帯情報端末１５０が、ユーザの操作で、プリペイドカードに表されていたＰＩＮコードの入力を受け付けた場合に、当該ＰＩＮコードをＷｅｂストアサーバ１０４に送信する。これにより、Ｗｅｂストアサーバ１０４は、携帯情報端末１５０に、ＰＩＮコードの登録完了＋“くじ”の結果表示画面８１３を送信する。
【００６１】
図１２は、本実施形態にかかる携帯情報端末１５０で表示されるＰＩＮコードの登録完了＋“くじ”の結果表示画面８１３を例示した図である。図１２に示されるように、ＰＩＮコードの入力によりプリペイドカードの利用手続きが完了した旨と、当該プリペイドカードに付属していた“くじ”の結果が表示される。
【００６２】
そして、携帯情報端末１５０が、ユーザの操作の受け付けずに一定時間経過した場合に、Ｗｅｂストアサーバ１０４は、携帯情報端末１５０に、コンテンツ一覧画面８１４を送信する。これにより、プリペイドカードのＰＩＮコードの入力で利用可能になったコンテンツをユーザが閲覧できる。
【００６３】
一方、携帯情報端末１５０が表示しているマイページ画面８１１において、ユーザから「購入履歴」１００２の操作を受け付けた場合に、Ｗｅｂストアサーバ１０４は、携帯情報端末１５０に、購入コンテンツ一覧画面８１５を送信する。
【００６４】
図１３は、本実施形態にかかる携帯情報端末１５０で表示される購入コンテンツ一覧画面８１５を例示した図である。図１３に例示された購入コンテンツ一覧画面８１５は、ユーザが複数回コンテンツＡを購入している例とする。
【００６５】
ユーザが複数回同一コンテンツを購入した場合に、同一コンテンツを当該複数の項目で表示することが考えられる。しかしながら、他のコンテンツ等と共に購入したコンテンツの一覧を表示した場合に、同一コンテンツが複数項目で表示されると、ユーザが所望しているコンテンツを探すのが難しくなる。
【００６６】
本実施形態では、同一のユーザが同一のコンテンツを複数購入した場合でも、Ｗｅｂストアサーバ１０４の画面出力部２０８が出力する（購入したコンテンツ毎に項目が示される）購入コンテンツ一覧画面８１５では、同一コンテンツについて一項目のみ表されることとした。
【００６７】
しかしながら、“おまけ”や“くじ”等の付加情報の欲しさに同一コンテンツを複数購入した場合、付加情報の一覧を確認したい場合がある。そこで、図１３に示される例では、携帯情報端末１５０が“「くじの結果」を確認する”ボタン１３０１の押下を受け付けた場合、携帯情報端末１５０は、コンテンツＡの識別情報と、“「くじの結果」を確認する”ボタン１３０１の押下を受け付けた旨を、Ｗｅｂストアサーバ１０４に送信する。これにより、Ｗｅｂストアサーバ１０４は、携帯情報端末１５０に対して、当該コンテンツの“くじ”の結果一覧表示画面８１６を送信する。
【００６８】
図１４は、本実施形態にかかる携帯情報端末１５０で表示されるコンテンツの“くじ”の結果一覧表示画面８１６を例示した図である。図１４に例示された“くじ”の結果一覧表示画面８１６では、コンテンツＡを複数回購入したことで得られた“くじ”の複数回分の結果一覧が示されている。
【００６９】
このように、Ｗｅｂストアサーバ１０４の画面生成部２０７が、同一の会員識別情報及び同一のコンテンツと購入管理テーブル２０３で対応付けられている複数の“くじ”の結果（付加情報）が表された“くじ”の結果一覧表示画面８１６を生成し、画面出力部２０８が当該“くじ”の結果一覧表示画面８１６を出力する。
【００７０】
このように、本実施形態では、購入こんてんつ一覧画面８１５では、複数回購入したコンテンツを一項目としてしか表示されないが、“くじ”の結果一覧表示画面８１６では、同一コンテンツを複数回購入した結果である複数の“くじ”の結果（付加情報）の一覧を表示できる。
【００７１】
次に、本実施形態にかかるコンテンツ購入システムにおける、コンテンツが購入された際の処理手順について説明する。図１５は、本実施形態にかかるコンテンツ購入システムにおける上述した処理の手順を示すフローチャートである。
【００７２】
まず、ユーザが、コンビニエンスストア等のＰＯＳレジ１０２から、プリペイドカードを購入する（ステップＳ１５０１）。
【００７３】
そして、ＰＯＳレジ１０２は、プリペイドカードの購入が行われると、当該プリペイドカードをアクティベートさせる命令を、プリペイド管理サーバ１０３に送信する（ステップＳ１５０２）。当該命令には、購入されたプリペイドカードのカード番号（ＩＤ）が含まれている。これにより、プリペイド管理サーバ１０３は、カード管理部２８０で、受信したカード番号（ＩＤ）と対応付けられたアクティベートを“有り”に更新する（ステップＳ１５０３）。そして、プリペイド管理サーバ１０３は、ＰＯＳレジ１０２に対して、更新の完了を通知する（ステップＳ１５０４）。これにより、販売されたプリペイドカードの有効化がなされる。
【００７４】
次に、ユーザは、携帯情報端末１５０を用いて、Ｗｅｂストアサーバ１０４にアクセスして、会員登録、及びログイン処理を行う（ステップＳ１５０５）。そして、Ｗｅｂストアサーバ１０４の画面出力部２０８は、ユーザの携帯情報端末１５０に対して、ＰＩＮコード入力画面８１２を出力する（ステップＳ１５０６）。これにより、携帯情報端末１５０は、ＰＩＮコード入力画面８１２を表示する。表示されるＰＩＮコード入力画面８１２は、図１１に示される画面例とする。
【００７５】
そして、ユーザは、携帯情報端末１５０に表示されたＰＩＮコード入力画面８１２に対して、プリペイドカードに記載されていたＰＩＮコードを入力する。これによりＷｅｂストアサーバ１０４は、携帯情報端末１５０からＰＩＮコードが入力される（ステップＳ１５０７）。
【００７６】
そして、Ｗｅｂストアサーバ１０４は、入力されたＰＩＮコードとコンテンツ対応関係管理部２０２で対応付けられたカード番号を、プリペイド管理サーバ１０３に送信する（ステップＳ１５０８）。そして、プリペイド管理サーバ１０３は、受信したカード番号と、カード管理部２８０で対応付けられたアクティベートのステータスを送信する（ステップＳ１５０９）。これにより、入力されたプリペイドカードがアクティベートされたものか否かを確認できる。
【００７７】
そして、プリペイドがアクティベートされたものであることを認識した場合に、以下に示す処理を行う。なお、プリペイドがアクティベートされたものではない場合に、エラー画面を、携帯情報端末１５０に送信して処理を終了する。
【００７８】
アクティベートされたものであることを認識した場合、Ｗｅｂストアサーバ１０４は、購入管理テーブル２０３に対して、購入されたプリペイドカードのコンテンツに関する情報を更新する（ステップＳ１５１０）。具体的には、ユーザの会員識別情報と、当該コンテンツに関する情報と、を対応付けて、購入管理テーブル２０３にレコードとして登録する。
【００７９】
そして、Ｗｅｂストアサーバ１０４の画面出力部２０８が、ＰＩＮコードの登録完了＋“くじ”の結果表示画面８１３を出力する（ステップＳ１５１１）。表示されるＰＩＮコードの登録完了＋“くじ”の結果表示画面８１３は、図１２に示される画面例とする。つまり、ＰＩＮコードの入力で、プリペイドカードによるコンテンツの購入が完了したこと、及びプリペイドカードの付加されていた“くじ”の結果が表示される。なお、“くじ”の結果は後から確認することもできる。
【００８０】
そして、Ｗｅｂストアサーバ１０４の通信部２０６は、コンテンツ配信サーバ１０１のアクセスＡＰＩ２２８を呼び出して、購入コンテンツの追加要求を送信する（ステップＳ１５１２）。
【００８１】
これにより、コンテンツ配信サーバ１０１は、購入コンテンツと、当該コンテンツを購入した会員識別情報と、を対応付けて購入済コンテンツ管理テーブル２２１を更新する（ステップＳ１５１３）。
【００８２】
これにより、ユーザの携帯情報端末１５０は、コンテンツ配信サーバ１０１から、プリペイドに示されたコンテンツをダウンロードする（ステップＳ１５１４）。
【００８３】
そして、ユーザの携帯情報端末１５０は、Ｗｅｂストアにログインした後に所定の操作を行うことで、購入履歴の表示要求を、Ｗｅｂストアサーバ１０４に送信できる（ステップＳ１５１５）。
【００８４】
これにより、Ｗｅｂストアサーバ１０４の画面生成部２０７が、Ｗｅｂストア画面記憶部２０１及び購入管理テーブル２０３を参照した購入コンテンツ一覧画面８１５を生成し、画面出力部２０８が、購入コンテンツ一覧画面８１５を出力する（ステップＳ１５１６）。これにより、携帯情報端末１５０は、購入コンテンツ一覧画面８１５を表示する。表示される購入コンテンツ一覧画面８１５は、図１３に示される画面例とする。そして、コンテンツの項目内の“「くじの結果」を確認する”ボタン１３０１が押下された場合に、Ｗｅｂストアサーバ１０４から受信したコンテンツの“くじ”の結果一覧表示画面８１６が表示される。表示される“くじ”の結果一覧表示画面８１６は、図１４に示される画面例とする。
【００８５】
本実施形態にかかるコンテンツ購入システムでは、プリペイドカードを複数枚購入することで、同一コンテンツを複数購入できる。その場合の処理手順について説明する。図１６は、本実施形態にかかるコンテンツ購入システムにおける、同一コンテンツのプリペイドカードを複数枚購入した際の処理の手順を示すフローチャートである。
【００８６】
図１６に示される例では、図１５のステップＳ１５０１〜Ｓ１５１１までと同様の処理でＷｅｂストアサーバ１０４の画面出力部２０８が、ＰＩＮコードの登録完了＋“くじ”の結果表示画面８１３を出力するまで行われる（ステップＳ１６０１〜Ｓ１６１１）。
【００８７】
その後、図１５に示す処理手順では、ステップＳ１５１２において、コンテンツ配信サーバ１０１に対して、コンテンツ配信サーバ１０１のアクセスＡＰＩ２２８を呼び出して、購入コンテンツの追加要求を送信していたが、図１６に示す処理手順では、ユーザは当該コンテンツを既にダウンロードできるために当該処理を行わない。
【００８８】
その後、ユーザの携帯情報端末１５０は、Ｗｅｂストアにログインした後に所定の操作を行うことで、購入履歴の表示要求を、Ｗｅｂストアサーバ１０４に送信できる（ステップＳ１６１２）。
【００８９】
そして、Ｗｅｂストアサーバ１０４の画面生成部２０７が、Ｗｅｂストア画面記憶部２０１及び購入管理テーブル２０３を参照した購入コンテンツ一覧画面８１５を生成し、画面出力部２０８が、購入コンテンツ一覧画面８１５を出力する（ステップＳ１６１３）。当該購入コンテンツ一覧画面では、同一コンテンツ（例えばコンテンツＡ）が複数回購入された場合でも、図１３に示されるように、当該同一コンテンツが１項目として表示される。
【００９０】
ただし、“「くじの結果」を確認する”ボタンが押下された場合、購入したコンテンツの数だけ“くじ”の結果が示された“くじ”の結果一覧表示画面８１６が表示される。
【００９１】
本実施形態では、書店やコンビニエンスストアといった実店舗において、あらかじめコンテンツが設定されたプリペイドカードを購入することで、当該コンテンツを取得することを可能とした。その際に、プリペイドカードに記載されているＰＩＮコードを、Ｗｅｂストアサーバ１０４に送信することで、当該コンテンツが購入されたものとして処理される。これにより、ネットワークに不慣れなユーザでも容易にコンテンツを購入できる。
【００９２】
本実施形態ではコンテンツが電子書籍や動画データ等の場合について説明したが、コンテンツを電子書籍や動画データ等に制限するものではなく、他のデータであっても良い。
【００９３】
本実施形態では、コンテンツを購入する際に、当該コンテンツと対応付けられた付加情報を取得できる。本実施形態では、付加情報が“くじ”の例について説明したが、付加情報をくじに制限するものではなく、“おまけ”（例えば、ゲームのアイテム、商品、懸賞への応募資格等）であっても良い。
【００９４】
本実施形態では、プリペイドカードに有効期限を設けなかったが、有効期限が設定されていても良い。
【００９５】
本実施形態では、ＰＯＳレジ１０２でプリペイドカードを購入するため、通常のネット販売で利用されるクレジットカードが必要ない。これにより、クレジットカードを持たない未成年であっても、コンテンツを購入することができる。
【００９６】
本実施形態では、プリペイドカードによるコンテンツ（例えば電子書籍）購入の手段を提供することにより、コンテンツをＷｅｂストア上で探すことなく、店頭でコンテンツ（例えば電子書籍）を選択できる。さらに、同一コンテンツの複数回購入を可能としたことで、電子化された（例えばおまけ付き）コンテンツを購入する際の利便性の向上を図った。
【００９７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９８】
１０１…コンテンツ配信サーバ、１０２…ＰＯＳレジ、１０３…プリペイド管理サーバ、１０４…Ｗｅｂストアサーバ、１５０…携帯情報端末、１５１…無線ルータ、１６０…公衆ネットワーク、１７０…専用ネットワーク、２０１…Ｗｅｂストア画面記憶部、２０２…コンテンツ対応関係管理部、２０３…購入管理テーブル、２０４…会員情報管理部、２０５…受付部、２０６…通信部、２０７…画面生成部、２０８…画面出力部、２０９…購入登録部、２１０…ストアＡＰＩ、２２１…購入済コンテンツ管理テーブル、２２２…アカウント記憶部、２２３…コンテンツ記憶部、２２４…一覧出力部、２２５…コンテンツ出力部、２２６…通信部、２２８…アクセスＡＰＩ、２５１…通信制御部、２５２…Ｗｅｂブラウザ、２５３…コンテンツ統合アプリケーション、２６１…Ｗｅｂストア連携コンポーネント、２６２…コンテンツ一覧ビューア、２６３…コンテンツ表示コンポーネント、２８０…カード管理部。
【図１】
2015018449.tif 000003
【図２】
2015018449.tif 000004
【図３】
2015018449.tif 000005
【図４】
2015018449.tif 000006
【図５】
2015018449.tif 000007
【図６】
2015018449.tif 000008
【図７】
2015018449.tif 000009
【図８】
2015018449.tif 000010
【図９】
2015018449.tif 000011
【図１０】
2015018449.tif 000012
【図１１】
2015018449.tif 000013
【図１２】
2015018449.tif 000014
【図１３】
2015018449.tif 000015
【図１４】
2015018449.tif 000016
【図１５】
2015018449.tif 000017
【図１６】
2015018449.tif 000018